(57)【要約】      （修正有）【課題】クッション部分の弾力性が失われないクッション性のある椅子座面の構造を提供する。【解決手段】クッション性のある椅子座面には、クッション部分１０、クッション部分２０、結合板３０、若干のねじ３２及び座席部分４０を備える。結合板３０はクッション部分１０の上に設置され、ねじ３２によって結合板３０のねじ穴３１とフレーム１２の固定パーツ１３のねじ穴１３１とに固定される。クッション部分２０は結合板３０に設置され、ねじ３２によってフレーム２２の固定パーツ２３のねじ穴２３１と結合板３０のねじ穴３１とに固定される。座席部分４０の固定板はクッション部分２０の上に設置され、ねじ３２によって座席部分４０が固定板のねじ穴４２とフレーム２２の固定パーツ２３のねじ穴２３１とに固定される。【選択図】図１
0003132805.tif 000002
【実用新案登録請求の範囲】
【請求項１】
２つの異なる直径のクッション部分の中間には結合板が設置され、ねじによって固定され、
座面はクッション部分の上方に固定され、
クッション部分の弾力性のあるステムは斜めに等距離に配置され、
２つのフレームが結合され一体となることを特徴とするクッション性のある椅子座面の構造。
【請求項２】
弾力性のあるステムは可撓性を有することを特徴とする請求項１に記載のクッション性のある椅子座面の構造。
【請求項３】
クッション部分の先端部分は２つのフレームの外側、内側あるいは下方に設置され、しっかりと結合され一体となることを特徴とする請求項１に記載のクッション性のある椅子座面の構造。
【請求項４】
フレームは棒状あるいは空心のパイプ状であることを特徴とする請求項１に記載のクッション性のある椅子座面の構造。
【請求項５】
フレームの周縁には固定するためのねじ穴を有する固定パーツが突出して設置されていることを特徴とする請求項１に記載のクッション性のある椅子座面の構造。
【考案の詳細な説明】
【技術分野】
【０００１】
本考案は、クッション性のある椅子座面の構造に関し、特にクッション部分にはツイストした弾力性を有し、使用者がクッション性のある椅子座面に座ると、使用者自身の体重がかかることにより、直接クッション部分のツイストした弾力に適度な圧縮弾力及び緩衝性を生じ、使用者は椅子に座った時に心地よさを感じることを特徴とする。
【背景技術】
【０００２】
現在の一般的なクッション性のある座面の椅子は、座面部分に若干の圧縮スプリングあるいは多層のスポンジを重ねて結合させたものからなる。
【考案の開示】
【考案が解決しようとする課題】
【０００３】
しかしながら、座面に若干の圧縮スプリングが設置されている場合、長期間の使用を経た時、圧縮スプリングは弾力性を失う。また、座面に多層のスポンジが設置されている場合、スポンジは長期間重い物に押さえつけられることにより、元の弾力性に戻ることができなくなる。したがって、長期間椅子を使用していると、座面のクッションの弾力性は衰え、臀部に不快さを感じるようになる。
【課題を解決するための手段】
【０００４】
本考案のクッション性のある椅子座面の構造では、椅子のクッション部分の弾力性のあるステムに適度の可撓性を有すると同時に、等間隔で斜めに配置され、さらに、二つのフレームが結合され一体となることにより、椅子に座った時の体の重さにより直接クッション部分のツイストした弾力に圧縮弾力及び緩衝性を生じ、使用者は椅子に座った時に心地よさを感じることができる。
【考案の効果】
【０００５】
本考案のクッション性のある椅子座面の構造では、椅子のクッション部分の弾力性のあるステムに適度の可撓性を有すると同時に、等間隔で斜めに配置され、さらに、二つのフレームが結合され一体となることにより、椅子に座った時の体の重さにより直接クッション部分のツイストした弾力に圧縮弾力及び緩衝性を生じるので、従来の椅子のようにクッション部分の弾力性が失われることがなく、使用者は椅子に座った時に心地よさを感じることができる。
【考案を実施するための最良の形態】
【０００６】
図１、図２を参照する。本実施例のクッション性のある椅子座面には、クッション部分１０、クッション部分２０、結合板３０、若干のねじ３２及び座席部分４０を備える。クッション部分１０の弾力性のあるステム１１は、適度な可撓性を有し、等間隔に斜めに設置され、先端部分１１１を介して２つのフレーム１２の周縁で結合され一体となることにより、均等にツイストした弾力を生じる。また、フレーム１２の周縁には、ねじ穴１３１を有する固定パーツ１３が突出して設置される。クッション部分２０の弾力性のあるステム２１は、適度な可撓性を有し、等間隔に斜めに設置され、先端部分２１１を介して２つのフレーム２２の周縁で結合され一体となることにより、均等にツイストした弾力を生じる。２つのフレーム２２の周縁にはねじ穴２３１を有する固定パーツ２３が突出して設置される。結合板３０には若干のねじ穴３１が設置され、座席部分４０は固定板４１に若干のねじ穴４２が設置される。組み立ての際には、結合板３０はクッション部分１０の上に設置され、ねじ３２によって結合板３０のねじ穴３１とフレーム１２の固定パーツ１３のねじ穴１３１とに固定された後、さらに、クッション部分２０は結合板３０に設置され、ねじ３２によってフレーム２２の固定パーツ２３のねじ穴２３１と結合板３０のねじ穴３１とに固定される。最後に、座席部分４０の固定板はクッション部分２０の上に設置され、ねじ３２によって座席部分４０が固定板のねじ穴４２とフレーム２２の固定パーツ２３のねじ穴２３１とに固定されると、クッション性のある椅子座面は完成する。使用者がクッション性のある椅子座面に座ると、体の重みにより直接クッション部分１０とクッション部分２０のツイストした弾力とに圧縮弾力及び緩衝性を生じて、使用者は椅子に座った時に心地よさを感じることができる。
【０００７】
図３、図４を参照する。図に示したクッション性のある椅子座面のクッション部分５０には、適度な可撓性を有する弾力性のあるステム５１が斜めに等間隔で配列されることにより、先端部分５２は２つの管状のフレーム５３の周縁の丸穴５４内に挿入されて結合され一体となる。したがって、クッション部分５０には均等な圧縮ツイスト弾力を生じる。
【０００８】
図５、図６、図７を参照する。本考案の他の実施例によるクッション性のある椅子座面には、クッション部分６０、クッション部分７０、座面８０及び若干のねじ８２を備える。クッション部分６０の弾力性のあるステム６１は、適度な可撓性を有し、等間隔に斜めに設置され、先端部分６１１を介して２つのフレーム６２の周縁で結合され一体となることにより、均等にツイストした弾力を生じる。また、フレーム６２の周縁には、ねじ穴６３１を有する固定パーツ６３が突出して設置されている。クッション部分７０の弾力性のあるステム７１は、適度な可撓性を有し、等間隔に斜めに設置されて、先端部分７１１を介して２つのフレーム７２の周縁で結合され一体となることにより、均等にツイストした弾力を生じる。２つのフレーム７２の周縁にはねじ穴７３１を有する固定パーツ７３が突出して設置される。座面８０は底面に若干のねじ穴８１を有する。組み立てる際は、クッション部分６０とクッション部分７０とを上下に重ね、ねじ８２によってフレーム６２の固定パーツ６３のねじ穴６３１とフレーム７２の固定パーツ７３のねじ穴７３１とを結合させる。そして、座面８０はさらに、クッション部分７０に設置され、ねじ８２によってフレーム７２の固定パーツ７３のねじ穴７３１と座面８０のねじ穴８１とが結合されると、本考案の他の実施例によるクッション性のある椅子座面は完成する。使用者がクッション性のある椅子座面に座ると、体の重みにより直接クッション部分６０及びクッション部分７０のツイストした弾力に圧縮弾力及び緩衝性を生じて、使用者は椅子に座った時に心地よさを感じることができる。
【０００９】
図８、図９を参照する。本考案のさらに他の実施例によるクッション性のある椅子座面には、クッション部分９０、座面１００及び若干のねじ１０２を備える。クッション部分９０の弾力性のあるステム９１は、適度な可撓性を有し、等間隔に斜めに設置され、先端部分９１１を介して２つのフレーム９２の周縁で結合され一体となることにより、均等にツイストした弾力を生じる。２つのフレーム９２の周縁にはねじ穴９３１を有する固定パーツ９３が突出して設置される。座面１００は底面に若干のねじ穴１０１を有する。組み立てる際は、クッション部分９０と椅子の足Ａとを上下に重ね、ねじ８２によってフレーム９２の固定パーツ９３のねじ穴９３１と椅子の足Ａとを結合させる。そして、座面１００はさらに、クッション部分９０に設置され、ねじ１０２によってフレーム９２の固定パーツ９３のねじ穴９３１と座面１００のねじ穴１０１とが結合されると、本考案のさらに他の実施例によるクッション性のある椅子座面は完成する。使用者がクッション性のある椅子座面に座ると、体の重みにより直接クッション部分９０のツイストした弾力に圧縮弾力及び緩衝性を生じて、使用者は椅子に座った時に心地よさを感じることができる。
以上、本考案の実施例を図面を参照しながら詳述してきたが、具体的な構成はこれらの実施例に限られるものではなく、本考案の要旨を逸脱しない範囲の設計変更などがあっても、本考案に含まれる。
【図面の簡単な説明】
【００１０】
【図１】本考案の一実施例におけるクッション性のある椅子座面の構造を示す分解斜視図である。
【図２】本考案の一実施例におけるクッション性のある椅子座面の構造を示す組立斜視図である。
【図３】本考案の他の実施例におけるクッション性のある椅子座面の構造のクッション部分を示す分解斜視図である。
【図４】本考案の他の実施例におけるクッション性のある椅子座面の構造のクッション部分を示す局部断面図である。
【図５】本考案の他の実施例におけるクッション性のある椅子座面の構造を示す分解斜視図である。
【図６】本考案の他の実施例におけるクッション性のある椅子座面の構造の組立斜視図である。
【図７】本考案の他の実施例におけるクッション性のある椅子座面の構造の使用状態を示す説明図である。
【図８】本考案のさらに他の実施例におけるクッション性のある椅子座面の構造を示す分解斜視図である。
【図９】本考案のさらに他の実施例におけるクッション性のある椅子座面の構造を示す組立斜視図である。
【符号の説明】
【００１１】
１０：クッション部分、１１：弾力性のあるステム、１１１：先端部分、１２：フレーム、１３：固定パーツ、１３１：ねじ穴、２０：クッション部分、２１：弾力性のあるステム、２２：フレーム、２３：固定パーツ、２３１：ねじ穴、３０：結合板、３１：ねじ穴、３２：ねじ、４０：座席部分、４１：固定板、４２：ねじ穴、５０：クッション部分、５１：弾力性のあるステム、５２：先端部分、５３：フレーム、５４：丸穴、６０：クッション部分、６１：弾力性のあるステム、６１１：先端部分、６２：フレーム、６３：固定パーツ、６３１：ねじ穴、７０：クッション部分、７１：弾力性のあるステム、７２：フレーム、７３：固定パーツ、７３１：ねじ穴、８０：座面、８１：ねじ穴、８２：ねじ、９０：クッション部分、９１：弾力性のあるステム、９２：フレーム、９３：固定パーツ、９３１：ねじ穴、１００：座面、１０１：ねじ穴、１０２：ねじ、Ａ：椅子の足
【図１】
0003132805.tif 000003
【図２】
0003132805.tif 000004
【図３】
0003132805.tif 000005
【図４】
0003132805.tif 000006
【図５】
0003132805.tif 000007
【図６】
0003132805.tif 000008
【図７】
0003132805.tif 000009
【図８】
0003132805.tif 000010
【図９】
0003132805.tif 000011